(57)【要約】【課題】コイルばねの振動の少ないフォーカルプレーンシャッタとそれを用いる撮像装置を提供する。【解決手段】フォーカルプレーンシャッタは、開閉自在に配置されたシャッタ幕と、シャッタ幕と連結され、シャッタ幕を開閉駆動する駆動部材２０と、ねじりトルクによって駆動部材２０を駆動する、巻き線が離間した離間巻き部９１と巻き線が密着した密着巻き部９２とを有するコイルばね３０と、を備える。【選択図】図４
2017032788.tif 000002
【特許請求の範囲】
【請求項１】
開閉自在に配置されたシャッタ幕と、
前記シャッタ幕と連結され、前記シャッタ幕を開閉駆動する駆動部材と、
ねじりトルクによって前記駆動部材を駆動する、巻き線が離間した離間巻き部と巻き線が密着した密着巻き部とを有するコイルばねと、
を備える、フォーカルプレーンシャッタ。
【請求項２】
前記コイルばねの、前記離間巻き部と前記密着巻き部との巻き数の比が１：１〜１：６である、請求項１に記載のフォーカルプレーンシャッタ。
【請求項３】
前記コイルばねは、２以上の前記密着巻き部と１以上の前記離間巻き部とが交互に配置され、両端部が前記密着巻き部である、請求項１又は２に記載のフォーカルプレーンシャッタ。
【請求項４】
前記コイルばねは、２以上の前記離間巻き部と１以上の前記密着巻き部とが交互に配置され、両端部が前記離間巻き部である、請求項１又は２に記載のフォーカルプレーンシャッタ。
【請求項５】
前記コイルばねの外周の少なくとも一部を覆うカバー部を備える、請求項１乃至４のいずれか１項に記載のフォーカルプレーンシャッタ。
【請求項６】
前記コイルばねはコイル巻き軸方向に圧縮されて配設されている、請求項１乃至５のいずれか１項に記載のフォーカルプレーンシャッタ。
【請求項７】
請求項１乃至６のいずれか１項に記載のフォーカルプレーンシャッタを備える、撮像装置。
【発明の詳細な説明】
【技術分野】
【０００１】
本発明は、フォーカルプレーンシャッタ及び撮像装置に関する。
【背景技術】
【０００２】
デジタルカメラ等に用いられるフォーカルプレーンシャッタには、シャッタ幕を走行させる動力源として、ねじりコイルばねを備えるものがある。この種のシャッタは、シャッタ幕の露光動作前にねじりコイルばねを所定の角度だけ捩って保持しておき、保持を解除したときに解放されるねじりコイルばねの復元力によるトルクを利用してシャッタ幕を走行させ、露光する。
【０００３】
ねじりコイルばねを用いるフォーカルプレーンシャッタは、例えば以下のような構成を有する。即ち、ねじりコイルばねの一端を係止した駆動部材の駆動ピンをシャッタ幕の羽根を支持するアームに係合させておく。露光前にねじりコイルばねを所定の角度だけ捩って保持する。露光動作時は、レリーズ信号によってこの保持を解除し、ねじりコイルばねの復元力によって駆動部材の駆動ピンを円弧状の開口（長孔）の一端部から他端部に向って移動させることにより、シャッタ幕を走行させる。
【０００４】
このような構成を有するフォーカルプレーンシャッタでは、駆動ピンが長孔の他端部に到達したとき、駆動ピンが長孔の他端部に衝突して衝撃が発生する。この衝撃を緩和するための緩衝部材を有するフォーカルプレーンシャッタが例えば特許文献１に開示されている。
【先行技術文献】
【特許文献】
【０００５】
【特許文献１】特開平８−２９７３１１号公報
【発明の概要】
【発明が解決しようとする課題】
【０００６】
上記のようなフォーカルプレーンシャッタにおいて、ねじりコイルばねは、ねじりトルクによる駆動部材への駆動力を発生するだけでなく、駆動部材のがたつきを抑えるため、巻き軸方向への付勢力を発生する圧縮ばねとしての役割を有している。そのため、ねじりコイルばねは圧縮ばねとしても機能するように、巻き線の間に隙間がある。
【０００７】
また近年、受光素子の大型化に伴うシャッタ幕の大型化やシャッタ速度の高速化が求められることから、シャッタ幕を走行させるための必要駆動力も大きくなっている。そのため、ねじりコイルばねの必要トルクが大きくなっている。
【０００８】
駆動ピンがより大きなトルクで駆動されると、駆動ピンが長孔の他端部に衝突したときの衝撃力もより大きくなる。衝撃力が大きくなると、緩衝部材等の対策だけでは衝撃力を十分に緩衝しきれず、衝撃がねじりコイルばねに伝わり、ねじりコイルばね自身が揺れる（振動する）ことがある。
【０００９】
ねじりコイルばねが振動すると、シャッタ全体やカメラの筐体と共振することがある。また、ねじりコイルばねの振動により、空気が振動したり、ねじりコイルばねのコイル線同士が摺動したりすることにより、残響音（鳴き）が発生することがある。
【００１０】
本発明は上記のような問題を解決するためになされたものであり、コイルばねの振動の少ないフォーカルプレーンシャッタとそれを用いる撮像装置を提供することを目的とする。
【課題を解決するための手段】
【００１１】
（１）上記目的を達成するため、本発明に係るフォーカルプレーンシャッタは、
開閉自在に配置されたシャッタ幕と、
前記シャッタ幕と連結され、前記シャッタ幕を開閉駆動する駆動部材と、
ねじりトルクによって前記駆動部材を駆動する、巻き線が離間した離間巻き部と巻き線が密着した密着巻き部とを有するコイルばね(例えば、ねじりコイルばね)と、
を備える。このような構成により、コイルばねの振動を抑制することができる。
【００１２】
（２）例えば、前記コイルばねの、前記離間巻き部と前記密着巻き部との巻き数の比が１：１〜１：６とすることができる。
【００１３】
（３）例えば、前記コイルばねは、２以上の前記密着巻き部と１以上の前記離間巻き部とが交互に配置され、両端部が前記密着巻き部としてもよい。
【００１４】
（４）例えば、前記コイルばねは、２以上の前記離間巻き部と１以上の前記密着巻き部とが交互に配置され、両端部が前記離間巻き部としてもよい。
【００１５】
（５）例えば、前記コイルばねの外周の少なくとも一部を覆うカバー部を備えてもよい。このような構成により、さらにコイルばねの振動を抑制することができる。
【００１６】
（６）例えば、前記コイルばねはコイル巻き軸方向に圧縮されて配設されていてもよい。このような構成により、コイルばねの振動を抑制しつつ、コイルばねに隣接する部材のがたつきを防止することができる。
【００１７】
（７）上記目的を達成するため、本発明に係る撮像装置は、上記（１）から（６）のいずれか１つに記載のフォーカルプレーンシャッタを備える。
【発明の効果】
【００１８】
本発明によれば、コイルばねの振動の少ないフォーカルプレーンシャッタとそれを用いる撮像装置を提供することができる。
【図面の簡単な説明】
【００１９】
【図１】本発明の一実施形態に係るフォーカルプレーンシャッタの平面図である。
【図２】図１に示すフォーカルプレーンシャッタの左側面図である。
【図３】図１に示すフォーカルプレーンシャッタの分解斜視図である。
【図４】（ａ）は図１のＡ−Ａ方向の縦断面図、（ｂ）は従来技術に係るコイルばねとその周辺部材の断面図である。
【図５】（ａ）は本発明の他の実施形態に係るコイルばねとその周辺部材の断面図、（ｂ）はさらに他の実施形態に係るコイルばねとその周辺部材の断面図である。
【図６】本発明の一実施形態に係るフォーカルプレーンシャッタを用いる撮像装置の斜視図である。
【発明を実施するための形態】
【００２０】
以下に本発明の実施の形態に係るフォーカルプレーンシャッタ１の構造について図面を参照しつつ説明する。なお、説明において「上」、「下」、「左」、「右」と方向を示すことがある。これは特記しない場合は、単に図１における紙面上の方向を意味するものであって、発明を限定するものではない。
【００２１】
フォーカルプレーンシャッタ１は、図６に示すように、例えば撮像素子を有する撮像装置２００に用いるものである。フォーカルプレーンシャッタ１は、図１及び図２に示すように、先幕（図示せず）と後幕１２の２つのシャッタ幕を収容するシャッタ幕収容部１１０と、２つのシャッタ幕を駆動する駆動機構１００（図２参照）と、駆動機構１００を制御する図示しない制御部から制御信号を伝える信号回路及び電磁石用の通電回路等を構成した基板６０と、を備える。
【００２２】
フォーカルプレーンシャッタ１は、図２に示すように、底部に略矩形の箱状のシャッタ幕収容部１１０を、シャッタ幕収容部１１０の側部に駆動機構１００を、駆動機構１００の上部に平板状の基板６０を、それぞれ備えている。
【００２３】
シャッタ幕収容部１１０は、図３に示すように地板１０、中間板１９、補助板１８、カバー部材１７の４枚の板材を備える。地板１０と中間板１９との間には後幕１２が開閉可能に収容され、中間板１９と補助板１８との間には図示しない先幕が開閉可能に収容されている。カバー部材１７は、シャッタ幕収容部１１０の全体を背面からカバーする保護部材である。
【００２４】
地板１０には、図１及び図３に示すように、略矩形の開口部（画枠）１１が設けられている。開口部１１は、シャッタ幕１２（と先幕）が開いたときに光を通過させて、フォーカルプレーンシャッタ１の背後に配置される図示しない撮像素子を露光する。なお、中間板１９、補助板１８、及びカバー部材１７にも同様な開口部が設けられているが、図１及び図３ではシャッタ幕１２の背面にあるため見えない。
【００２５】
後幕１２は、４枚の羽根１２ａ、１２ｂ、１２ｃ、１２ｄ（以下、「１２ａ〜１２ｄ」と記載する。）から構成される。なお、図示しないが先幕についても後幕１２と同様に４枚の羽根から構成されている。図１及び図３は、後幕１２の４枚の羽根１２ａ〜１２ｄが開口部１１を覆って閉じた状態を図示している。これは露光動作が終了したときの状態である。このとき、図示しない先幕の羽根は、図１の開口部１１の上方位置の、中間板１９と補助板１８との間に引き込まれていて開口部１１を覆っていない状態である。
【００２６】
後幕１２の４枚の羽根１２ａ〜１２ｄは、それぞれが第１アーム１５に回動可能に結合され、また第２アーム１６にも羽根１２ａ〜１２ｄのそれぞれが回動可能に結合されている。第１アーム１５は、その一端が後幕１２を開閉するための後述する駆動レバー支持部４５の中心軸と同軸上に回動可能に結合されている。
【００２７】
第１アーム１５は、後述の駆動ピン２３と係合している。そして駆動ピン２３によって第１アーム１５が動かされると、それに結合された羽根１２ａ〜１２ｄがリンク機構によって開閉するように動く。つまり、後幕１２は駆動ピン２３によって開閉駆動される。
【００２８】
なお、図示しない先幕についても４枚の羽根のそれぞれが２つのアームに回動可能に結合されているが、その構造は後幕１２と基本的に同じである。また先幕と後幕１２の材質は特に限定されないが、金属又は合成樹脂を薄板状に成形したものが好適に用いられる。
【００２９】
次に先幕と後幕１２を走行させるための駆動機構１００について説明する。駆動機構１００は、図３に示すように、シャッタ幕収容部１１０の右側部に、地板１０と支持構造部材である板金５０との間に各種部材を配置して構成されている。なお、駆動機構１００は後幕１２を駆動するための機構と図示しない先幕を駆動する機構とを備えるが、最初に後幕１２を駆動する機構を説明する。
【００３０】
駆動機構１００は、後幕１２に結合された第１アーム１５を旋回させるための駆動レバー（駆動部材）２０と、ねじりトルクによって駆動レバー２０を回転させるように駆動する後幕用のコイルばね（ねじりコイルばね）３０を備える。
【００３１】
駆動レバー２０は、中空のばね軸受部２１と、ばね軸受部２１からコイルばね３０を挟んで離間した位置に突出したばね係止部２２と、駆動レバー２０の底面から下方（地板１０の背面方向）に突出した駆動ピン２３と、鉄片２５とを備える。
【００３２】
ばね軸受部２１は、その中空部分に地板１０に立設された駆動レバー支持部４５が嵌挿されている。そのため、駆動レバー２０の全体が駆動レバー支持部４５を中心に回転可能である。
【００３３】
駆動レバー支持部４５の先端部は、ラチェット４０の中心孔を固定し、かつ板金５０の支持孔５４に固定され、支持されている。駆動レバー支持部４５の先端部はさらに基板６０の貫通孔６１を貫通している。
【００３４】
ばね係止部２２は、コイルばね３０の一端が係止され、コイルばね３０からのねじりトルクを受けて駆動レバー２０に伝える部分である。
【００３５】
駆動ピン２３は、図３に示すように駆動レバー２０の下方に配設され、地板１０の長孔部１３に挿入されている。長孔部１３に挿入された駆動ピン２３の先端部は、地板１０の背面側で後幕１２の第１アーム１５と係合している。駆動ピン２３は、長孔部１３に沿って移動して第１アーム１５を駆動することにより、第１アーム１５に結合された後幕１２を開閉するように駆動する。
【００３６】
長孔部１３は、地板１０に設けられた開口部であり、図１に示す平面図の上下方向に円弧状に設けられている。駆動ピン２３が長孔部１３の上端部１３ａに位置しているときのフォーカルプレーンシャッタ１の分解図を図３に示す。このとき後幕１２の４枚の羽根１２ａ〜１２ｄは、開口部１１を覆う状態、つまりシャッタが閉じた状態である。これに対して、駆動ピン２３が長孔部１３の下端部（図３では下端部は見えない）に移動すると、後幕１２の４枚の羽根１２ａ〜１２ｄは図１の開口部１１の下方位置に引き込まれて開口部１１を開いた状態、つまりシャッタが開いた状態となる。
【００３７】
駆動ピン２３が長孔部１３の下端位置に移動したときに、後述の電磁石５１を通電励磁することによって鉄片２５が磁化される。磁化された鉄片２５は電磁石５１に吸着し、駆動レバー２０を保持する。
【００３８】
次に、駆動レバー２０を付勢するコイルばね３０について説明する。コイルばね３０は、ねじることによってねじりトルクが発生するコイルばねとして機能する。
【００３９】
コイルばね３０はばね軸受部２１に嵌め込まれている。コイルばね３０は、その一端が駆動レバー２０のばね係止部２２に係止され、他端がラチェット４０の切欠４１に係止されている。
【００４０】
駆動レバー２０が図３に示す状態から（図１から見て）反時計回りに回転されると、ばね係止部２２も反時計回りに回転する。コイルばね３０は他端がラチェット４０の切欠４１に係止されて固定されているので、コイルばね３０はばね係止部２２によってねじられてねじりトルクが発生する。このねじりトルクは、駆動レバー２０を時計回りに回転させるように作用する。
【００４１】
コイルばね３０は、ねじりトルクを利用するねじりばねであるが、駆動レバー２０のがたつきをなくすために、コイルの巻き軸方向に駆動レバー２０を付勢する圧縮ばねとしての役割も有している。コイルばね３０の詳細な構成については後述する。
【００４２】
なお、コイルばね３０の材質は特に限定されないが、スプリング用のステンレス鋼又はピアノ線が好適に用いられる。
【００４３】
ラチェット４０は、フォーカルプレーンシャッタ１を製造したときに、所定の初期ねじりトルクをコイルばね３０に与えるための調整用のラチェット機構である。したがってラチェット４０を最初に調整した後は、撮像のための露光動作時にラチェット４０自体は動作しない。
【００４４】
図３に示すように、板金５０には、通電用の励磁用端子５２、５３を備えた電磁石５１が固定されている。励磁用端子５２、５３は基板６０に接続されている。電磁石５１は、駆動ピン２３が長孔部１３に沿って長孔部１３の下端部まで旋回したときに鉄片２５と相対して当接する位置にある。鉄片２５が電磁石５１に当接したときに、電磁石５１が通電されて励磁されると、電磁石５１は鉄片２５を吸着保持する。
【００４５】
以上、後幕１２を駆動するための駆動機構１００について説明した。先幕についても基本的な構成は後幕１２と同じである。先幕は後幕１２と同様、４枚の羽根で構成され、それぞれは先幕用の第１アームと第２アームとに結合されている。先幕用の第１アームは、その一端が先幕用の駆動レバー支持部４６と同軸上に回動可能に結合されている。
【００４６】
地板１０に立設された駆動レバー支持部４６には先幕用の駆動レバー２６が回転可能に嵌挿されている。駆動レバー２６は、ばね軸受部２７と、下方（地板１０の背面方向）に突出した駆動ピン２８と、鉄片２９とを備える。ばね軸受部２７には先幕用コイルばね３３が嵌め込まれている。コイルばね３３の両端部は駆動レバー２６と歯車４２にそれぞれ係止されている。
【００４７】
駆動レバー支持部４６は、その先端部は歯車４２の中心孔が固定されるとともに、板金５０の支持孔５８に固定されている。そして先端部はさらに基板６０の貫通孔６２を貫通している。
【００４８】
また励磁用端子５６、５７を備えた先幕用の電磁石５５が板金５０に固定されている。電磁石５５は、駆動レバー２６の駆動ピン２８が長孔部１４に沿って図１から見て反時計回りに旋回すると、鉄片２９と相対して当接する位置にある。鉄片２９が電磁石５５に当接したときに電磁石５５が励磁されると、電磁石５５は鉄片２９を吸着保持する。
【００４９】
最後に、基板６０は、板金５０にネジ６３により取り付けられている。基板６０には、駆動機構１００を制御する制御部（図示せず）からの制御信号を伝える信号回路及び電磁石５１、５５に通電して励磁する通電回路等が構成されている。回路の詳細については本発明と関係ないため省略する。
【００５０】
次に、フォーカルプレーンシャッタ１の動作について説明する。
【００５１】
図１又は図３に示す状態は、露光動作が終了したときの状態である。この状態から、図示しない制御部からの信号により、図示しないチャージ部材がセットレバー７１を時計回りに回転させる。すると駆動レバー２０、２６がそれぞれセットレバー７１の所定の係合部と係合し、駆動レバー２０、２６はコイルばね３０、３３をねじりながら反時計回りに回転する。
【００５２】
駆動レバー２０が反時計回りに所定量だけ回転すると、鉄片２５が電磁石５１に当接する。この段階で、制御部は電磁石５１へ通電する信号を送出し、電磁石５１は鉄片２５を吸着保持する。この保持力は、ねじられたコイルばね３０が駆動レバー２０に及ぼすトルクよりも大きい。
【００５３】
また駆動レバー２６が反時計回りに所定量だけ回転すると、鉄片２９が電磁石５５に当接する。この段階で、制御部は電磁石５５へ通電する信号を送出し、電磁石５５は鉄片２９を吸着保持する。この保持力は、ねじられたコイルばね３３が駆動レバー２６に及ぼすトルクよりも大きい。
【００５４】
その後、制御部からの信号によりチャージ部材が解放され、セットレバー７１は元の位置に戻り、駆動レバー２０、２６との係合が解消される。しかし駆動レバー２０、２６は、電磁石５１、５５がそれぞれ鉄片２５、２９を吸着保持しているので元の位置には戻らない。
【００５５】
以上で駆動レバー２０、２６のセットが完了する。このとき、後幕１２はシャッタ幕収容部１１０の開口部１１の下方位置に引き込まれて開口部１１を覆っていない。また先幕は開口部１１を覆って閉じている状態である。
【００５６】
この状態でレリーズボタンが押されると、制御部はまず先幕用の電磁石５５への通電を停止する信号を送出する。すると電磁石５５による保持が解除された先幕用の駆動レバー２６（駆動ピン２８）は、コイルばね３３のねじりトルクにより長孔部１４に沿って時計回りに旋回を開始する。同時に駆動ピン２８に係合された先幕用の第１アームが旋回して先幕が開き始める。
【００５７】
電磁石５５への通電を停止してからシャッタ速度ごとにプログラムにより設定された時間が経過すると、プログラムに従って制御部は電磁石５１への通電を停止する信号を送出する。すると電磁石５１による保持が解除された後幕用の駆動レバー２０（駆動ピン２３）は、長孔部１３に沿ってコイルばね３０のねじりトルクにより時計回りに旋回を開始する。同時に駆動ピン２３に係合された第１アーム１５が旋回して後幕１２が閉じ始める。
【００５８】
このようにして、開いていく先幕との間にスリットを形成して後幕１２が追いかけて閉じていく、スリット走行が実現される。最終的に駆動ピン２８が長孔部１４の上端部１４ａに到達すると、先幕の羽根はすべて図１のシャッタ幕収容部１１０の上方位置に収容される。また駆動ピン２３が長孔部１３の上端部１３ａに到達すると、後幕１２は図１に示すように開口部１１を完全に閉じた状態となる。
【００５９】
以上により１回の露光動作が完了する。この露光動作において、電磁石５１、５５の通電が停止すると、コイルばね３０、３３のねじりトルクにより付勢された駆動ピン２３、２８が高速で移動し、長孔部１３、１４の上端部１３ａ、１４ａに衝突する。このときの衝撃で、コイルばね３０、３３が振動する。
【００６０】
この振動を抑制するための、コイルばね３０の構成について以下に説明する。なお、コイルばね３３の構成はコイルばね３０の構成と同じであるので説明を省略する。
【００６１】
コイルばね３０は、ねじりによるトルクを利用するコイルばねであるが、コイル巻き軸方向（駆動レバー支持部４５の軸方向）に駆動レバー２０を付勢する圧縮コイルばねとしての役割も有する。コイル巻き軸方向に駆動レバー２０を付勢する理由は、駆動レバー２０のがたつきを防止して、駆動ピン２３が安定して長孔部１３を走行できるようにするためである。
【００６２】
そのため、コイルばね３０は、巻き線を離間させて巻いた部分（離間巻き部）を有する。さらに、巻き線を密着させて巻いた部分（密着巻き部）をも有する。
【００６３】
コイルばね３０の具体的構成を図４（ａ）に示す。図４（ａ）は、図１のＡ−Ａ方向、即ち左側面から見たコイルばね３０とラチェット４０及びその周辺部材の断面を示している。図４（ａ）からわかるように、離間させるとは、隣り合う巻き線間に隙間があるようにすることである。また密着させるとは、隣り合う巻き線間に隙間がないようにすることである。
【００６４】
コイルばね３０は、図４（ａ）に示すように、ラチェット４０側にある巻き線が離間した離間巻き部９１と、ラチェット４０と反対側にある巻き線が密着した密着巻き部９２とから構成される。その割合は、離間巻き数と密着巻き数との比として概ね１：３．８である。
【００６５】
このように、離間巻き部９１に加えて密着巻き部９２を設けることにより、全体が離間巻きである図４（ｂ）で示すコイルばね３０Ａ（従来技術）に比較して、コイルばね３０の振動が抑制される。
【００６６】
コイルばね３０は、コイル巻き軸方向に駆動レバー２０を付勢するため、コイル巻き軸方向に若干圧縮されて組み込まれて（配設されて）いる。この圧縮による必要な付勢力は、付勢対象の部材（駆動レバー２０）の大きさや他部材の構成等により変化するが、概ね１０〜２００ｇｆ程度が好ましい。
【００６７】
図４（ａ）に示すように、ラチェット４０の内側はコイルばね３０を収容するように窪んでいる。そしてコイルばね３０の離間巻き部９１側の端部は、ラチェット４０の窪みの底面に当接している。窪み部分は、ラチェット４０がコイルばね３０の外周を覆うカバー部４３となるように構成されている。
【００６８】
コイルばね３０は、密着巻き部９２よりも離間巻き部９１のほうが振動しやすい。そこで、離間巻き部９１が振動したときに離間巻き部９１の外周に当接してその振動を抑えるカバー部４３を離間巻き部９１の周囲の少なくとも一部に設ける。これにより、コイルばね３０が振動したときに、カバー部４３がコイルばね３０の外周に当接して、さらに振動を抑制する効果が得られる。「一部」とは、コイル巻き軸方向の一部でもよいし、円周方向の一部でもよい。図４（ａ）に示す構造では、離間巻き部９１のうちコイル巻き軸方向の一部の全円周領域をカバーする構成としている。
【００６９】
従来技術では、図４（ｂ）に示すように、コイルばね３０Ａは全体が均等な離間巻き部で構成されている。この場合、駆動ピン２３が長孔部１３の上端部１３ａに衝突したときの衝撃によりコイルばね３０Ａが振動することを十分抑制できなかった。
【００７０】
コイルばね３０の効果を調べるため、衝突時の音響をマイクで拾って周波数解析した。図４（ｂ）に示す従来技術の構成の場合、駆動ピン２３が長孔部１３の上端部１３ａに衝突したときの衝撃によるコイルばね３０Ａの振動により、衝突音の後に周波数が０〜１．５ｋＨｚの帯域で１００ミリ秒程度の時間の残響が測定された。
【００７１】
それに対して、本実施の形態に係る図４（ａ）に示す構成では、この残響時間をほぼゼロにまで低減することができた。
【００７２】
以上説明したように、本実施の形態の構成によれば、コイルばね３０は離間巻き部９１と密着巻き部９２とを有するため、駆動ピン２３が長孔部１３の上端部１３ａに衝突したときの衝撃を受けたコイルばね３０の振動を抑制することができる。その結果、共振や残響音の少ないフォーカルプレーンシャッタ１を提供することができる。
【００７３】
さらに、離間巻き部９１の外周囲にカバー部４３を設けたため、さらにコイルばね３０の振動を抑制することができる。
【００７４】
以上、本発明の実施の形態に係るフォーカルプレーンシャッタ１について説明した。しかし本発明の実施の形態はこれに限られるものではない。
【００７５】
（変形例）
上記の実施の形態では、コイルばね３０の離間巻き部９１と密着巻き部９２との巻き数の比は１：３．８とした。しかしこの比率は任意である。例えば、離間巻き部９１と密着巻き部９２との巻き数の比としては、１：１〜１：６とすることができ、より好ましくは１：２〜１：５とすることでき、さらに好ましくは１：３〜１：４とすることができる。
【００７６】
上記の実施の形態では、離間巻き部９１と密着巻き部９２とを１カ所ずつ形成した。しかしこれらの数と位置は任意である。
【００７７】
例えば、図５（ａ）に示すように、両端部に２カ所の離間巻き部９１を設け、中央部に１カ所の密着巻き部９２を設けてもよい。また逆に図５（ｂ）に示すように、両端部に２カ所の密着巻き部９２を設け、中央部に１カ所の離間巻き部９１を設けてもよい。またこれ以上の数の離間巻き部９１と密着巻き部９２を交互に組み合わせてもよい。このような場合、離間巻き部９１と密着巻き部９２のそれぞれを合計した部分の巻き数の比が上記の範囲であればよい。
【００７８】
上記の実施の形態では、コイルばね３０の離間巻き部９１の外周の一部をラチェット４０でカバーしてカバー部４３とした。しかしカバー部４３をラチェット４０が兼用する必要はなく、構成は任意である。
【００７９】
例えば、ラチェット４０の反対側にカバー部を設けてもよい。またコイルばね３０の中央付近に設けてもよい。つまり、離間巻き部９１でなく、密着巻き部９２に、あるいは両方に設けてもよい。また構造的に可能であれば、全長に亘ってカバー部を設けてもよい。なおカバー部は、コイルばね３０が振動していないときにはコイルばね３０の外周に接触していなくてもよい。
【００８０】
上記の実施の形態では、コイルばね３０は直接駆動レバー２０を駆動した。しかしこれに限らず、コイルばね３０のトルク付勢力を利用するものであれば適用可能である。つまりシャッタ幕を駆動する付勢力を間接的に駆動レバー２０（駆動ピン２３）に相当する部材に伝え、いずれかの部材に衝撃を発生するタイプのものであっても適用可能である。
【００８１】
上記の実施の形態では、後幕１２と先幕の２つのシャッタ幕を有しており、それぞれのコイルばね３０、３３に本発明を適用した。しかし２つのコイルばねのうちのどちらかだけに適用してもよい。また駆動機構も上記の実施の形態に限られず、種々のタイプに適用可能である。例えばノーマリーオープンタイプ、ノーマリークローズタイプのいずれでもよく、また駆動部材の保持方法としてダイレクトタイプに限らず、係止タイプとしてもよい。つまり、シャッタ幕を開閉する動力源としてコイルばねを用いるものであれば、本発明が適用可能である。
【００８２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００８３】
本発明に係るフォーカルプレーンシャッタは、撮像素子又は銀塩フィルムを用いる撮像装置に用いることができる。撮像装置は、例えばコンパクト（デジタル）カメラや一眼（デジタル）カメラなどの、フォーカルプレーンシャッタを用いる各種光学機器である。
【符号の説明】
【００８４】
１  フォーカルプレーンシャッタ
１０  地板
１１  開口部（画枠）
１２  後幕（シャッタ幕）
１２ａ、１２ｂ、１２ｃ、１２ｄ  （後幕の）羽根
１３、１４  長孔部
１３ａ、１４ａ  （長孔部の）上端部
１５  第１アーム
１６  第２アーム
１７  カバー部材
１８  補助板
１９  中間板
２０、２６  駆動レバー（駆動部材）
２１、２７  ばね軸受部
２２  ばね係止部
２３、２８  駆動ピン
２５、２９  鉄片
３０、３３  コイルばね（ねじりコイルばね）
３０Ａ  （従来技術の）コイルばね
３２  ばね端部
４０  ラチェット（カバー部）
４１  切欠
４２  歯車
４３  カバー部
４５、４６  駆動レバー支持部
５０  板金
５１、５５  電磁石
５２、５３、５６、５７  励磁用端子
５４、５８  支持孔
６０  基板
６１、６２  貫通孔
６３  ネジ
７１  セットレバー
９１  離間巻き部
９２  密着巻き部
１００  駆動機構
１１０  シャッタ幕収容部
２００  撮像装置
【図１】
2017032788.tif 000003
【図２】
2017032788.tif 000004
【図３】
2017032788.tif 000005
【図４】
2017032788.tif 000006
【図５】
2017032788.tif 000007
【図６】
2017032788.tif 000008